(57)【要約】【課題】薄型化でき、光漏れが生じにくい、液晶表示装置を提供する。【解決手段】液晶セル３と、液晶セル３の下方に配置され、一側面８ａから他側面８ｂへ向け板厚が薄くなる様に傾斜した裏面を有する導光板８と、一側面８ａに沿って配置された線状光源３８と、導光板８の下方に配置された反射板９と、液晶セル３と導光板８と線状光源３８と反射板９とを収納する枠体１０とを備え、枠体１０は、一側面８ａに平行する方向に、かつ互いに対向する方向に、反射板９を載置する第１傾斜部２２および第２傾斜部２３が形成され、他側面８ｂに近接して、反射板９を載置する第３傾斜部２４が形成され、一側面８ａに近接して、下部は開放され、上部は液晶セル３を支持する第４縁部２１が形成された。【選択図】図２
2006317650.tif 000002
【特許請求の範囲】
【請求項１】
液晶セルと、前記液晶セルの下方に配置され、一側面から他側面へ向け板厚が薄くなる様に傾斜した裏面を有する導光板と、前記一側面に沿って配置された線状光源と、前記導光板の下方に配置された反射板と、前記液晶セルと前記導光板と前記線状光源と前記反射板とを収納する枠体とを備え、前記枠体は、前記一側面に平行する方向に、かつ互いに対向する方向に、前記反射板を載置する第１傾斜部および第２傾斜部が形成され、前記他側面に近接して、前記反射板を載置する第３傾斜部が形成され、前記一側面に近接して、下部は開放され、上部は前記液晶セルを支持する第４縁部が形成された事を特徴とする液晶表示装置。
【請求項２】
前記第１傾斜部と、前記第２傾斜部と、前記第３傾斜部は、前記導光板の一側面から他側面へ向け板厚が厚くなる様に傾斜した表面が形成され、水平に対する前記導光板の裏面の傾斜角度と、水平に対する前記各傾斜部の表面の傾斜角度が同一に設けられた事を特徴とする請求項１の液晶表示装置。
【請求項３】
前記枠体は、前記第１傾斜部につながって第１縁部が形成され、前記第２傾斜部につながって第２縁部が形成され、前記第３傾斜部につながって第３縁部が形成され、前記枠体は
前記第１縁部と、前記第２縁部と、前記第３縁部と、前記第４縁部とにより、額縁状に形成された事を特徴とする請求項１の液晶表示装置。
【請求項４】
前記第１傾斜部と、前記第３傾斜部と、前記第１縁部の内縁に囲まれた第１開口部が形成された事を特徴とする請求項１の液晶表示装置。
【請求項５】
前記第１縁部において、前記内縁の下部に凹部が形成され、前記凹部の上部に薄肉部が形成され、前記導光板の一側面から他側面への方向において、前記第１傾斜部の表面と、前記薄肉部の底面とが同一の傾斜した面上に位置する様に形成された事を特徴とする請求項４の液晶表示装置。
【発明の詳細な説明】
【技術分野】
【０００１】
本発明は液晶表示装置に関する。
【背景技術】
【０００２】
従来、この種の装置は例えば、下記特許文献１に示されている。この特許文献１の図１によると、プリズムシート４０と、その下に配置され、一側面から他側面へ向け板厚が薄くなる様に傾斜した裏面を有する導光板３０が設けられている。
【０００３】
一側面に沿って配置された線状光源１０と、導光板３０の下方に配置された反射板５０とが設けられている。これらのプリズムシート４０と、導光板３０と、反射板５０とを収納する枠体６０が設けられている。
【０００４】
枠体６０は、反射板５０を載置する４つの載置部と、各載置部につながる４つの縁部が額縁状に形成されている。
【特許文献１】特開２００１−２１０１２９号公報
【発明の開示】
【発明が解決しようとする課題】
【０００５】
上記装置では、導光板３０の一側面は比較的厚いので、この導光板３０等を収納する枠体６０は厚くなり、装置が薄型化できない、第１の欠点がある。また、導光板３０の他側面は比較的薄いので、この薄い部分を載置する枠体６０の載置部の一辺は、厚肉にせざるを得ない（枠体６０の底面を水平にするため）。
【０００６】
そのため、この厚肉の部分において、樹脂のヒケ（成形時に、ソリや歪みができる事）が生じる。そのため、上記厚肉部と反射板５０との間に隙間ができ、この隙間から光漏れする、第２の欠点がある。そこで、本発明は、この様な従来の欠点を考慮して、薄型化でき、光漏れが生じにくい、液晶表示装置を提供する。
【課題を解決するための手段】
【０００７】
上記課題を解決するために、請求項１の本発明では、液晶セルと、前記液晶セルの下方に配置され、一側面から他側面へ向け板厚が薄くなる様に傾斜した裏面を有する導光板と、前記一側面に沿って配置された線状光源と、前記導光板の下方に配置された反射板と、前記液晶セルと前記導光板と前記線状光源と前記反射板とを収納する枠体とを備え、前記枠体は、前記一側面に平行する方向に、かつ互いに対向する方向に、前記反射板を載置する第１傾斜部および第２傾斜部が形成され、前記他側面に近接して、前記反射板を載置する第３傾斜部が形成され、前記一側面に近接して、下部は開放され、上部は前記液晶セルを支持する第４縁部が形成された。
【０００８】
請求項２の本発明では、前記第１傾斜部と、前記第２傾斜部と、前記第３傾斜部は、前記導光板の一側面から他側面へ向け板厚が厚くなる様に傾斜した表面が形成され、水平に対する前記導光板の裏面の傾斜角度と、水平に対する前記各傾斜部の表面の傾斜角度が同一に設けられた。
【０００９】
請求項３の本発明では、前記枠体は、前記第１傾斜部につながって第１縁部が形成され、前記第２傾斜部につながって第２縁部が形成され、前記第３傾斜部につながって第３縁部が形成され、前記枠体は、前記第１縁部と、前記第２縁部と、前記第３縁部と、前記第４縁部とにより、額縁状に形成された。
【００１０】
請求項４の本発明では、前記第１傾斜部と、前記第３傾斜部と、前記第１縁部の内縁に囲まれた第１開口部が形成された。
【００１１】
請求項５の本発明では、前記第１縁部において、前記内縁の下部に凹部が形成され、前記凹部の上部に薄肉部が形成され、前記導光板の一側面から他側面への方向において、前記第１傾斜部の表面と、前記薄肉部の底面とが同一の傾斜した面上に位置する様に形成された。
【発明の効果】
【００１２】
請求項１の本発明では、導光板は一側面から他側面に向け板厚が薄くなる様に傾斜した裏面を有する。枠体は上記一側面に近接して、下部は開放されているので、一側面側において、比較的薄く構成できる。その結果、薄型の液晶表示装置が得られる。
【００１３】
請求項２の本発明では、導光板の裏面の傾斜角度と、枠体の各傾斜部の表面の傾斜角度を同一にする。その結果、反射板を介して、導光板と枠体の傾斜部は密着し、光漏れを生じにくい。また、枠体は導光板の一側面に近接しており、下部は開放されているので、枠体の上部および各傾斜部は樹脂のヒケが起こりにくい。その結果、光漏れは更に生じにくい。
【００１４】
請求項３の本発明では、枠体は、第１傾斜部につながって第１縁部が形成され、第２傾斜部につながって第２縁部が形成され、第３傾斜部につながって第３縁部が形成され、枠体は、第１縁部と、第２縁部と、第３縁部と、第４縁部とにより、額縁状に形成された。上記構成により、第１縁部と、第２縁部と、第３縁部と、第４縁部は肉盗み部を形成することができ、樹脂のヒケを防止できる。
【００１５】
請求項４の本発明では、第１傾斜部と、第３傾斜部と、第１縁部の内縁に囲まれた第１開口部が形成された。この様に、第１開口部を設ける事により、第１傾斜部および第３傾斜部において、樹脂のヒケを防止し、かつ、枠体自体が軽くなり、液晶表示装置を軽量化できる。
【００１６】
請求項５の本発明では、枠体において、第１傾斜部の表面と、薄肉部の底面とを同一の傾斜面（パート面）とする、上金型および下金型を製造できる。上金型および下金型も同一の傾斜角度を有するパート面が設けられるので、ＮＣフライス盤等の加工機械により、金型の削りこみ作業が容易となる。その結果、上金型および下金型が安くなる。また、内縁の下部に凹部（肉盗み部）を設けることにより、第１縁部は薄肉部が形成される事により、第１縁部は樹脂のヒケが防止され、平坦な平面が得られる。
【発明を実施するための最良の形態】
【００１７】
以下、本発明を実施するための最良の形態を実施例及び図面を用いて詳細に説明する。しかし、以下に述べた実施例は、本発明の技術思想を具体化するための液晶表示装置の一例を例示するものであって、本発明をこの実施例に特定することを意図するものでない。本発明は特許請求の範囲に示した技術思想を逸脱することなく、種々の変更を行ったものにも均しく適用し得るものである。
【実施例】
【００１８】
以下に、図１ないし図８に従い、本発明の実施例に係る液晶表示装置１を説明する。図１は液晶表示装置１の分解斜視図、図２は図１のＡ−Ａ断面図、図３は液晶表示装置１に用いられた枠体の斜視図、図４は枠体の正面図である。図５は図４のＢ−Ｂ断面図、図６は図５のＣ部拡大図、図７は図４のＤ−Ｄ断面図、図８は枠体の背面図である。
【００１９】
図１に示す様に、液晶表示装置１は、前面枠２と、液晶セル３と、シート４，５，６，７と、導光板８と、反射板９と、枠体１０と、ランプセット１１と、補強板１２と、左カバー１３と、右カバー１４等からなる。
【００２０】
前面枠２は例えば金属板等からなり、中央部には、開口部が形成されている。周縁部には、下方向に折り曲げられた４つの側面が形成されている。４つの側面には、各々、複数の孔１５が形成されている。
【００２１】
液晶セル３は例えば、シール材により張り合わされた、液晶を封入された１対のガラス基板と、上ガラス基板上に設けられた上偏向板と、下ガラス基板に設けられた下偏向板とを有している。
【００２２】
下ガラス基板の周縁には、複数の電極が形成されている。複数の配線基板１６は例えばＴＣＰ（Ｔａｐｅ  Ｃａｒｒｉｅｒ  Ｐａｃｋａｇｅ）等からなり、各々がドライバＩＣを実装している。
【００２３】
各配線基板１６の１方の端子は、下ガラス基板の電極に接続されている。各配線基板１６の他方の端子は、回路基板１７の１方の電極に接続されている。
【００２４】
シート４，５，６，７は例えば、プリズムシートと拡散シート等からなり、その用途（視野角、輝度など）に応じて、適宜、選択される。
【００２５】
導光板８は例えばアクリル樹脂等からなる。導光板８は、上から見れば、長方形状に形成されている。図１と図２に示す様に、導光板８は横から見れば、一側面８ａから他側面８ｂへ向け、板厚が薄くなる様に、傾斜した裏面が形成されている。
【００２６】
反射板９は、上から見れば長方形状に形成されている。反射板９は、導光板８の下方に配置されている。
【００２７】
枠体１０は例えばプラスチックからなる。図１と図４に示す様に、枠体１０は、第１縁部１８と、第２縁部２０と、第３縁部１９と、第４縁部２１とにより、額縁状に形成されている。
【００２８】
第１縁部１８につながって第１傾斜部２２が形成され、第２縁部２０につながって第２傾斜部２３が形成され、第３縁部１９につながって第３傾斜部２４が形成されている。
【００２９】
言い換えれば、枠体１０は、第１傾斜部２２につながって第１縁部１８が形成されている。第２傾斜部２３につながって第２縁部２０が形成されている。第３傾斜部２４につながって第３縁部１９が形成されている。
【００３０】
図２と図３に示す様に、第４縁部２１は、導光板８の一側面８ａに近接して位置し、下部は開放され、傾斜部が形成されていない。第４縁部２１の上部は、液晶セル３を支持する（収納する）している（図２参照）。
【００３１】
図１ないし図４に示す様に、枠体１０は、導光板８の一側面８ａに平行する方向に、かつ互いに対向する方向に、反射板９を載置する第１傾斜部２２および第２傾斜部２３が形成されている。
【００３２】
また、導光板８の他側面８ｂに近接して位置し、反射板９を載置する第３傾斜部２４が形成されている。
【００３３】
図４に示す様に、第１傾斜部２２と第２傾斜部２３をつなぐ様に、第１連結部２５が形成されている。第１連結部２５と第３傾斜部２４をつなぐ様に、第２連結部２６が形成されている。
【００３４】
図１ないし図４に示す様に、枠体１０を各々構成する第１傾斜部２２と、第２傾斜部２３と、第３傾斜部２４と、第１連結部２５と、第２連結部２６は、導光板８の一側面８ａから他側面８ｂへ向け、板厚が厚くなる様に、各々、傾斜した表面が形成されている。
【００３５】
即ち、図２に示す様に、水平に対する導光板８の裏面８ｃの傾斜角度と、水平に対する各傾斜部の表面（例えば、第１傾斜部２２の表面２２ｃ）の傾斜角度は同一に設けられている。
【００３６】
この様に、両者の傾斜角度を同一にする事により、各傾斜部２２，２３，２４および各連結部２５，２６は、反射板９を介して、導光板８の裏面８ｃに対し、隙間無く密着できる。
【００３７】
また、各傾斜部２２，２３，２４および各連結部２５，２６の各裏面は水平に維持される。
【００３８】
図４に示す様に、枠体１０において、第１傾斜部２２と、第１縁部１８の内縁２７と、第３傾斜部２４と、第１連結部２５と、第２連結部２６に囲まれて、第１開口部２８が形成されている。
【００３９】
同様に、第１連結部２５と、第２連結部２６と、第３傾斜部２４と、第２傾斜部２３に囲まれて、第２開口部２９が形成されている。
【００４０】
図６と図７に示す様に、第１縁部１８において、内縁２７の下部に凹部３０が形成されている。凹部３０の上部に、薄肉部３１が形成されている。
【００４１】
図５と図６に示す様に、導光板８の一側面８ａから他側面８ｂへの方向において、第１傾斜部の表面２２ａと、薄肉部の底面３１とが、同一の傾斜した面上に位置する様に、枠体１０は形成されている。
【００４２】
図５に示す様に、枠体１０を製造（成型）するために、上金型３２と下金型３３が用いられる。この上金型３２と下金型３３が当接する部分がパート面３４である。
【００４３】
上述した様に、パート面３４は、第１傾斜部の表面２２ａと、薄肉部の底面３１とを構成するものであり、同一の傾斜角度に形成されている。
【００４４】
従って、上金型３２は、同一の傾斜角度を有するパート面３４を製造するのに、例えばＮＣフライス盤により、同一の角度にて、金型を削れば良いので、金型が作り易い。
【００４５】
同様に、下金型３３は、同一の傾斜角度を有するパート面３４を製造するのに、例えばＮＣフライス盤により、同一の角度にて、金型を削れば良いので、金型が作り易い。以上の構成により、この枠体１０は形成されている。
【００４６】
図１と図２に示す様に、ランプセット１１は例えば、リフレクタ３５と、ランプホルダ３６，３７（図示せず）と、線状光源３８と、第１リード線３９と、第２リード線４０とコネクタ４１等から構成されている。
【００４７】
リフレクタ３５は例えばアルミニュウム等からなり、断面が略コ字状に形成され（図２参照）、長尺のものである。
【００４８】
ランプホルダ３６は例えばゴム等からなり、断面して見れば（図２参照）、外形が多角形状に形成され、リフレクタ３５の内面に密着して配置されている。
【００４９】
線状光源３８は例えば、冷陰極管等からなり、長尺のものである。第２リード線４０の１方の端は、被膜が外されている。コネクタ４１に近い位置に配置された線状光源３８の第２電極（ランプホルダ３６の中に存在するが、図示せず）と、第２リード線４０は半田付け等により接続されている。
【００５０】
第２リード線４０の他方の端は第２接続ピンが接続され、第２接続ピンはコネクタ４１に挿入され、固定されている。
【００５１】
同様に、ランプホルダ３７は例えばゴム等からなり、その外形は多角形状に形成されリフレクタ２３の内面に密着して配置されている。
【００５２】
図１において、ランプホルダ３７は、ランプホルダ３６と略対称の形状をしている。ランプホルダ３７はの中央部は凹状に形成され、線状光源３８の他端が挿入されている。ランプホルダ３６の中央部は凹状に形成され、線状光源３８の１端が挿入されている。
【００５３】
第１リード線３９の１端は被覆が外されている。コネクタ４１から遠い位置に配置された線状光源３８の第１電極（ランプホルダ３７の中に存在するが、図示せず）と、第１リード線３９は半田付け等により接続されている。
【００５４】
図１と図２に示す様に、枠体１０を構成する第４縁部２１において、縦方向Ｘ１−Ｘ２に沿って、上方に開放した長尺に窪み部４２が形成されている。
【００５５】
第１リード線３９の中間部分は、窪み部４２内に挿入されている（図２参照）。第１リード線３９の他方の端は、第２接続ピンが接続され、第２接続ピンはコネクタ４１に挿入され、固定されている。
【００５６】
この様に、線状光源３８は、導光板８の一側面８ａに沿って配置されている。また、線状光源３８の両電極に各々接続された第１リード線３９および第２リード線４０が設けられている。更に、リフレクタ３５と、ランプホルダ３６，３７が設けられている。これらの部品により、ランプセット１１は構成されている。
【００５７】
補強板１２は例えば金属板等からなり、断面して見れば（図２参照）、上部と側部と底部を有し、略コ字状に形成されている。補強板１２は、上から見れば（図１参照）、長尺に形成されている。
【００５８】
補強板１２に形成された上部は、枠体１０を構成する第４縁部２１の上面の上に位置している。補強板１２に形成された側部は、リフレクタ３５の側面に当接し又は近接している。補強板１２に形成された底部は、リフレクタ３５の底面に当接し又は近接している。
【００５９】
補強板１２の側部には、外向きに突出した４個のフック４３が形成され、フック４３は前面枠２の側面の形成された４個の孔１５に挿入されている。その結果、補強板１２は前面枠２に固定されている。
【００６０】
枠体１０の底面の適所には、第１孔が形成され、補強板１２の底部の適所には、第２孔が形成されている。
【００６１】
補強板１２の底部は、枠体１０の底面に当接され、ネジ（図示せず）は、第２孔を通り第１孔にてネジ止めされている。この様にして、補強板１２は、枠体１０の底面を支持している。
【００６２】
図２に示す様に、枠体１０に形成された第１傾斜部２２と、第２傾斜部２３と、第３傾斜部２４と、第１連結部２５と、第２連結部２６の各上に、反射板９が載置されている。
【００６３】
反射板９の上に、導光板８が載置されている。導光板８の一側面８ａに、線状光源３８を有するランプセット１１が配置されている。
【００６４】
導光板８の上に、シート７，６，５，４が積層され、その上に液晶セル３が載置されている。液晶セル３に取り付けられた配線基板１６は、枠体１０の側面を巻き込む。その結果、配線基板１６に取り付けられた回路基板１７は、枠体１０の底面に位置する。
【００６５】
左カバー１３は、この回路基板１７を覆う様にして、枠体１０に固定されている。また、補強板１２の底部は、枠体１０の底面に固定され、その上部は、枠体１０に形成された第４縁部２１の上面を覆う。
【００６６】
図１に示す様に、枠体１０に形成された第１縁部１８と、第２縁部２０と、第３縁部１９と、第４縁部２１の各側面に、外側に突出した複数個の突出部４４が形成されている。
【００６７】
これらの突出部４４が前面枠２に設けられた各孔１５内に挿入される事により、枠体１０と前面枠２は固定されている。
【００６８】
この様にして、液晶セル３と、その下方に配置された導光板８が設けられている。また枠体１０は、液晶セル３と、導光板８と、線状光源３８と、反射板９等を収納している。以上の部品により、この液晶表示装置１は構成されている。
【図面の簡単な説明】
【００６９】
【図１】本発明の実施例に係る液晶表示装置１の分解斜視図である。
【図２】図１のＡ−Ａ断面図である（ただし、液晶表示装置１を組み立てた状態を示す）。
【図３】上記液晶表示装置１に用いられる枠体１０の斜視図である。
【図４】上記枠体１０の正面図である。
【図５】図４のＢ−Ｂ断面図である。
【図６】図５のＣ部詳細図である。
【図７】図４のＤ−Ｄ断面図である。
【図８】上記枠体１０の背面図である。
【符号の説明】
【００７０】
３  液晶セル
８  導光板８
８ａ  導光板の一側面
８ｂ  導光板の他側面
９  反射板
１０  枠体
２１  第４縁部
２２  第１傾斜部
２３  第２傾斜部
２４  第３傾斜部
【図１】
2006317650.tif 000003
【図２】
2006317650.tif 000004
【図３】
2006317650.tif 000005
【図４】
2006317650.tif 000006
【図５】
2006317650.tif 000007
【図６】
2006317650.tif 000008
【図７】
2006317650.tif 000009
【図８】
2006317650.tif 000010